(57)【特許請求の範囲】
【請求項１】
吸収性本体を備える尿取りパッドを製造する方法であって、
搬送方向に延び、横断方向に間隔を空けて並んだ一対の連続サイドシートの各々に、前記搬送方向に延び、前記横断方向に間隔を空けて並んだ一対の連続脚弾性部材の各々を、前記搬送方向に間欠的に接着する弾性部材配置工程と、
前記一対の連続サイドシートの上に、前記搬送方向に延びる連続裏面シート、前記搬送方向に並んだ複数の吸収体および前記搬送方向に延びる連続表面シートが積層され、前記一対の連続サイドシート、前記連続裏面シート、前記複数の吸収体および前記連続表面シートが互いに接着された状態を形成し、前記一対の連続サイドシートを、前記連続表面シートの上に折り畳んで、連続吸収性本体を形成する資材積層工程と、
前記連続吸収性本体における互いに隣り合う前記吸収体の間の中間領域であって、前記一対の連続脚弾性部材が他のシートに接着されていない前記中間領域において、前記中間領域における前記横断方向の両端部から除去部を切断して、それぞれ前記横断方向の内側に窪む形状を形成すると共に、前記一対の連続脚弾性部材を切断する隅部切断工程と、
前記連続吸収性本体を、前記中間領域における前記搬送方向の中心で順次切断して、前記吸収性本体を順次形成する端部切断工程と、
を備える、
尿取りパッドの製造方法。
【請求項２】
前記資材積層工程は、前記一対の連続サイドシートの各々における前記一対の連続脚弾性部材の各々が接着された面の上に、前記連続裏面シート、前記複数の前記吸収体および前記連続表面シートが積層され接着された状態を形成する工程を含む、
請求項１に記載の尿取りパッドの製造方法。
【請求項３】
前記弾性部材配置工程は、前記一対の連続サイドシートの各々における、前記一対の連続脚弾性部材の各々よりも前記横断方向の外側に、前記搬送方向に延び、前記横断方向に間隔を空けて並んだ一対の連続防漏弾性部材を接着する工程を含み、
前記資材積層工程は、前記一対の連続サイドシートを、前記連続表面シートの上に折り畳んで、前記一対の連続防漏弾性部材を、前記一対の連続脚弾性部材よりも前記横断方向の内側に配置する工程を含み、
前記端部切断工程は、前記連続吸収性本体を順次切断すると共に、前記一対の連続防漏弾性部材を切断する工程を含む、
請求項１または２に記載の尿取りパッドの製造方法。
【請求項４】
前記除去部は、資材同士の接着用の接着剤の坪量が多い多量領域と、前記接着剤の坪量が少ない少量領域とを有し、
前記少量領域の面積は、前記多量領域の面積よりも広い、
請求項１乃至３のいずれか一項に記載の尿取りパッドの製造方法。
【請求項５】
前記資材積層工程は、前記一対の連続サイドシートの各々のうちの前記連続表面シートの上に折り畳まれた部分において、前記横断方向の外側の部分を、前記連続表面シートの前記横断方向の端部に端部固定部で接合し、前記横断方向の内側の部分のうちの、前記連続表面シートにおける前記吸収体の前記搬送方向の両端部に対応する位置に前後固定部により接着する工程を含み、
前記端部固定部における接着剤の塗布量は、前記前後固定部における接着剤の塗布量よりも多い、
請求項１乃至４のいずれか一項に記載の尿取りパッドの製造方法。
【請求項６】
隅部切断工程において、前記連続吸収性本体に含まれる前記一対の連続サイドシートの各々における、前記連続裏面シートに対して前記吸収体と反対側に位置する部分の前記横断方向の長さは、前記除去部の前記横断方向の長さよりも長い、
請求項１乃至５のいずれか一項に記載の尿取りパッドの製造方法。
【請求項７】
前記搬送方向に並んだ複数の吸収コアを包み込み、前記搬送方向に延びる連続コアラップにおける、前記複数の吸収コアの各々に対して前記搬送方向の前方の部分および後方の部分をそれぞれ接着することにより、前記搬送方向に前記複数の前記吸収体が連結された連続吸収体を形成する連続吸収体形成工程と、
前記連続吸収体における互いに隣接する吸収体の間の境界において、前記横断方向の両端部から吸収体除去部を切断して、前記横断方向の内側に窪む形状を形成すると共に、前記連続吸収体を、前記境界で順次切断して、前記複数の前記吸収体の各々を順次形成する連続吸収体切断工程と、
を更に備え、
前記連続吸収体切断工程において、前記吸収体除去部の切断および前記連続吸収体の切断は、前記吸収コアよりも前記搬送方向の外側において行われる、
請求項１乃至６のいずれか一項に記載の尿取りパッドの製造方法。
【請求項８】
前記吸収体除去部は、前記横断方向の外側の位置で搬送方向に長く、前記横断方向の内側の位置で搬送方向に短い形状を有する、
請求項７に記載の尿取りパッドの製造方法。
【請求項９】
前記吸収性本体において、前記吸収体は、下層吸収体と、前記下層吸収体に積層され、平面視で、前記下層吸収体よりも前記搬送方向および前記横断方向に大きい上層吸収体と、を含み、
複数の前記下層吸収体の各々と、複数の前記上層吸収体の各々と、を接着して、前記複数の前記吸収体を形成する吸収体形成工程、を更に備え、
前記下層吸収体と前記上層吸収体とを接合する接着剤は、平面視で、前記下層吸収体よりも狭い領域に塗布されている、
請求項１乃至８のいずれか一項に記載の尿取りパッドの製造方法。
【請求項１０】
前記資材積層工程において、前記連続吸収性本体における前記中間領域における、前記連続裏面シートと前記連続表面シートとが接着された領域は、接着剤が間欠的に塗布された領域を含む、
請求項１乃至９のいずれか一項に記載の尿取りパッドの製造方法。
【請求項１１】
前記除去部は、前記横断方向の外側の位置で搬送方向に長く、前記横断方向の内側の位置で搬送方向に短い形状を有する、
請求項１乃至１０のいずれか一項に記載の尿取りパッドの製造方法。
【発明の詳細な説明】
【技術分野】
【０００１】
本発明は、尿取りパッドの製造方法に関する。
【背景技術】
【０００２】
パンツ型おむつの中に装着されて使用される尿取りパッドが知られている。ここで、パンツ型おむつは、平面上に展開したとき、表面シートと、裏面シートと、両シート間に位置する吸収体と、表面シートの幅方向の両側に位置し、長手方向に沿って延びる一対の防漏壁と、を備えている。一対の防漏壁の各々における長手方向の両端部の各々には、防漏壁の端部を表面シートに固定する固定部が形成されている。したがって、一対の防漏壁における両端部の固定部の間の部分と表面シートとの間には、尿取りパッドの幅方向の両端部を収容可能な一対の収容領域が形成されている。一方、尿取りパッドは、液体を吸収可能な吸収性本体を備えている。そして、一対の収容領域に、吸収性本体の幅方向の両端部が挟み込まれることで、パンツ型おむつに尿取りパッドが装着される。そのような尿取りパッドとしては、例えば、特許文献１に、体液処理用品が開示されている。
【０００３】
特許文献１のような尿取りパッド（体液処理用品）では、吸収性本体の幅方向の両端部の各々において、長手方向の両端部が幅方向の内側に窪む形状にカットされている。すなわち、吸収性本体の幅方向の両端部の各々において、長手方向の寸法が短くされている。それにより、その各端部の長手方向の寸法を、各収容領域の長手方向の寸法よりも短くすることができる。それゆえ、パンツ型おむつに尿取りパッドを装着するとき、一対の収容領域に吸収性本体の幅方向の両端部を挟み込み易くすることができ、それにより、尿取りパッドを適切に装着できる。
【先行技術文献】
【特許文献】
【０００４】
【特許文献１】特開２００１−１４５６６２号公報
【発明の概要】
【発明が解決しようとする課題】
【０００５】
特許文献１のような尿取りパッドを製造する方法としては、例えば、以下の第１〜第４工程を実施する方法がある。第１工程は、搬送方向に延び、横断方向に間隔を空けて並んだ一対の連続サイドシートの各々に、搬送方向に延び、横断方向に間隔を空けて並んだ一対の連続脚弾性部材の各々を、前記搬送方向に間欠的に接着する。第２工程は、一対の連続サイドシートの上に、搬送方向に延びる連続裏面シート、搬送方向に並んだ複数の吸収体および搬送方向に延びる連続表面シートが積層され接着された状態を形成し、一対の連続サイドシートを、連続表面シートの上に折り畳んで、連続吸収性本体を形成する。第３工程は、連続吸収性本体における互いに隣り合う吸収体の間の中間領域であって、一対の連続脚弾性部材が他のシートに接着されていない前記中間領域において、連続吸収性本体を、前記搬送方向の中心で順次切断すると共に、一対の連続脚弾性部材を切断して、吸収性本体を順次形成する。第４工程は、吸収性本体における搬送方向の両端部において、横断方向の両端部から除去部を切断して、横断方向の内側に窪む形状を形成する。なお、第３工程の切断と第４工程の切断とを同時に行うことは、製造上、非常に難しく、上記のように別々に行われるのが通常である。
【０００６】
この製造方法では、第３工程で、連続吸収性本体の中間領域が、搬送方向の中心で切断されるときに、一対の連続脚弾性部材も切断される。ここで、中間領域の連続脚弾性部材は、他のシートに接着されていない。したがって、連続脚弾性部材は、切断により、他のシートに接着された部分、すなわち接着部分と、接着部分の端部に連結し、他のシートに接着されていない部分、すなわち非接着部分とを有する脚部弾性部材となる。そして、非接着部分は切断後に収縮して小さくなり、他のシート間に挟まれただけの状態となる（カットバック）。その後、第４工程で、吸収性本体における搬送方向の両端部において、横断方向の両端部から除去部が切断されると、非接着部分は、中間領域のシート間に挟まれただけの状態なので、シートと共に切断され、シートの端に付着した小片となる。そのため、そのようなシートの端に付着した脚弾性部材の小片は、切断されたシートが製造ラインから除去されるとき、シートから簡単に分離して、製造ラインに残存してしまい、製造ラインを汚染するおそれがある。更に、第３工程で連続吸収性本体を個々の吸収性本体へ切断した後に、第４工程で除去部を切断するので、除去部の大きさは小さくなり、その数は多くなる。そのため、切断された除去部が製造ラインから除去され難くなり、製造ラインを汚染するおそれがある。これらの場合、尿取りパッドの製造ラインや製品に悪影響が生じるおそれがある。
【０００７】
本発明の目的は、吸収性本体の長手方向（搬送方向）の両端部において、幅方向（横断方向）の両端部から除去部を除去して、幅方向（横断方向）の内側に窪む形状を形成する工程を有する尿取りパッドの製造方法において、切断などに伴う製造ラインの汚染をより抑制することが可能な尿取りパッドの製造方法を提供することにある。
【課題を解決するための手段】
【０００８】
本発明の尿取りパッドの製造方法は、（１）吸収性本体を備える尿取りパッドを製造する方法であって、搬送方向に延び、横断方向に間隔を空けて並んだ一対の連続サイドシートの各々に、前記搬送方向に延び、前記横断方向に間隔を空けて並んだ一対の連続脚弾性部材の各々を、前記搬送方向に間欠的に接着する弾性部材配置工程と、前記一対の連続サイドシートの上に、前記搬送方向に延びる連続裏面シート、前記搬送方向に並んだ複数の吸収体および前記搬送方向に延びる連続表面シートが積層され、前記一対の連続サイドシート、前記連続裏面シート、前記複数の吸収体および前記連続表面シートが互いに接着された状態を形成し、前記一対の連続サイドシートを、前記連続表面シートの上に折り畳んで、連続吸収性本体を形成する資材積層工程と、前記連続吸収性本体における互いに隣り合う前記吸収体の間の中間領域であって、前記一対の連続脚弾性部材が他のシートに接着されていない前記中間領域において、前記中間領域における前記横断方向の両端部から除去部を切断して、それぞれ前記横断方向の内側に窪む形状を形成すると共に、前記一対の連続脚弾性部材を切断する隅部切断工程と、前記連続吸収性本体を、前記中間領域における前記搬送方向の中心で順次切断して、前記吸収性本体を順次形成する端部切断工程と、を備える、尿取りパッドの製造方法。
【０００９】
本尿取りパッドの製造方法では、隅部切断工程で、連続吸収性本体における隣り合う吸収体の間の中間領域にて、横断方向の両端部から除去部が切断され、横断方向の内側に窪む形状が形成される。その際、横断方向の両端部で、一対の連続脚弾性部材が切断される。その後、端部切断工程で、連続吸収性本体が、中間領域における搬送方向の中心で順次切断されて、吸収性本体が順次形成される。ここで、中間領域では一対の連続脚弾性部材が他のシートに接着されていない。そのため、連続脚弾性部材のうちの除去部に含まれる部分は、隅部切断工程後、収縮して除去部のシート間に挟まれているだけの状態となる。そして、連続吸収性本体における吸収体を含む部分、すなわち吸収性本体となる部分が連結している中間領域から、吸収性本体となる部分の二個分の除去部が一度に切断される。したがって、二個分の除去部が一まとまりであるため、搬送方向に比較的長くなる。よって、一まとまりの除去部と共に切断された連続脚弾性部材の部分は、比較的長い片となり、除去部のシート中ほどに、シートの間に挟まれた状態を維持し易い。それゆえ、除去部のシートが製造ラインから除去される際、シート間に挟まれているだけの状態でシートの中ほどに維持された連続脚弾性部材の長い片がシートから分離することが抑制される。
また、除去部は、上記のように、二個分の除去部が一まとまりであるため、その大きさは搬送方向に比較的大きくなり、その数は少なくなる。そのため、切断された除去部を製造ラインから除去し易くすることができる。
それらにより、脚弾性部材や除去部のような資材の一部が製造ラインに残存することを抑制でき、製造ラインが汚染されることを抑制できる。
【００１０】
本発明の尿取りパッドの製造方法は、（２）前記資材積層工程は、前記一対の連続サイドシートの各々における前記一対の連続脚弾性部材の各々が接着された面の上に、前記連続裏面シート、前記複数の前記吸収体および前記連続表面シートが積層され接着された状態を形成する工程を含む、上記（１）に記載の尿取りパッドの製造方法、でもよい。
本尿取りパッドの製造方法では、連続脚弾性部材が、連続サイドシートと、連続裏面シート、複数の前記吸収体および連続表面シートとの間に挟持され得る。すなわち、連続裏面シートの非肌側に連続脚弾性部材が配置される。それにより、もし仮に、除去部のシート間に挟まれた脚弾性部材の小片が除去されずに製品に残存したとしても、製品において脚弾性部材の小片は裏面シートよりも非肌側に位置する可能性を高くすることができ、装着者の肌に悪影響を及ぼさないようにできる。
【００１１】
本発明の尿取りパッドの製造方法は、（３）前記弾性部材配置工程は、前記一対の連続サイドシートの各々における、前記一対の連続脚弾性部材の各々よりも前記横断方向の外側に、前記搬送方向に延び、前記横断方向に間隔を空けて並んだ一対の連続防漏弾性部材を接着する工程を含み、前記資材積層工程は、前記一対の連続サイドシートを、前記連続表面シートの上に折り畳んで、前記一対の連続防漏弾性部材を、前記一対の連続脚弾性部材よりも前記横断方向の内側に配置する工程を含み、前記端部切断工程は、前記連続吸収性本体を順次切断すると共に、前記一対の連続防漏弾性部材を切断する工程を含む、上記（１）または（２）に記載の尿取りパッドの製造方法、であってもよい。
本尿取りパッドの製造方法では、資材積層工程において、一対の連続サイドシートを、連続表面シートの上に折り畳んで、一対の連続防漏弾性部材を、一対の連続脚弾性部材よりも横断方向の内側に配置する。それにより、隅部切断工程にて、除去部が切断されても、一対の連続防漏弾性部材が切断されないようにできる。したがって、端部切断工程にて一対の連続防漏弾性部材を切断するとき、連続防漏弾性部材の小片を生じ難くすることができる。よって、資材の一部が製造ラインに残存することを抑制でき、製造ラインが汚染されることを抑制できる。
【００１２】
本発明の尿取りパッドの製造方法は、（４）前記除去部は、資材同士の接着用の接着剤の坪量が多い多量領域と、前記接着剤の坪量が少ない少量領域とを有し、前記少量領域の面積は、前記多量領域の面積よりも広い、上記（１）乃至（３）のいずれか一項に記載の尿取りパッドの製造方法、であってもよい。
本尿取りパッドの製造方法では、除去部において使用される接着用の接着剤の坪量が少ない少量領域の面積が、接着剤の坪量が多い多量領域の面積よりも広い。すなわち、除去部で使用される接着剤の量は少ない。それにより、除去部が切断されるとき、切断部分における切断刃に付着する接着剤の量を少なくすることができる。それにより、除去部が切断刃に接合したまま除去し難くなることを抑制できる。
【００１３】
本発明の尿取りパッドの製造方法は、（５）前記資材積層工程は、前記一対の連続サイドシートの各々のうちの前記連続表面シートの上に折り畳まれた部分において、前記横断方向の外側の部分を、前記連続表面シートの前記横断方向の端部に端部固定部で接合し、前記横断方向の内側の部分のうちの、前記連続表面シートにおける前記吸収体の前記搬送方向の両端部に対応する位置に前後固定部により接着する工程を含み、前記端部固定部における接着剤の塗布量は、前記前後固定部における接着剤の塗布量よりも多い、上記（１）乃至（４）のいずれか一項に記載の尿取りパッドの製造方法、であってもよい。
本尿取りパッドの製造方法では、端部固定部における接着剤の坪量は、前後固定部における接着剤の坪量よりも多い。ここで、一対の連続サイドシートは、横断方向の外側の両端部で折り畳まれている。したがって、隅部切断工程において、連続吸収性本体の横断方向の両端部から除去部を切断して、横断方向の内側に窪む形状を形成すると、除去部は、横断方向の外側の端縁を折り線として折り畳まれたシートとなる。そのため、端部固定部、すなわち、折り線に近い部分の接着剤の坪量を多くすることで、折り畳まれたシートにおける、折り線と反対側の部分が大きく開くことを抑制できる。それにより、除去部における折り線と反対側の部分が大きく開いて接着剤が剥き出しとなり、除去部が切断刃などに接合したまま除去し難くなることを抑制できる。
【００１４】
本発明の尿取りパッドの製造方法は、（６）隅部切断工程において、前記連続吸収性本体に含まれる前記一対の連続サイドシートの各々における、前記連続裏面シートに対して前記吸収体と反対側に位置する部分の前記横断方向の長さは、前記除去部の前記横断方向の長さよりも長い、上記（１）乃至（５）のいずれか一項に記載の尿取りパッドの製造方法、であってもよい。
本尿取りパッドの製造方法では、連続吸収性本体における連続裏面シートよりも下側において、一対の連続サイドシートの各々における横断方向の長さが、除去部の横断方向の長さよりも大きい。そのため、隅部切断工程で連続吸収性本体における横断方向の両端部から、除去部を切断するとき、除去部の外側を覆うシート部材はすべて連続サイドシートになる。したがって、除去部の外側に別の複数のシート部材が存在する場合のように、除去部の切断により、それら別の複数のシート部材が分離して、切断刃などに付着してしまい製造ラインを汚染してしまう、などの事態を抑制できる。
【００１５】
本発明の尿取りパッドの製造方法は（７）前記搬送方向に並んだ複数の吸収コアを包み込み、前記搬送方向に延びる連続コアラップにおける、前記複数の吸収コアの各々に対して前記搬送方向の前方の部分および後方の部分をそれぞれ接着することにより、前記搬送方向に前記複数の前記吸収体が連結された連続吸収体を形成する連続吸収体形成工程と、前記連続吸収体における互いに隣接する吸収体の間の境界において、前記横断方向の両端部から吸収体除去部を切断して、前記横断方向の内側に窪む形状を形成すると共に、前記連続吸収体を、前記境界で順次切断して、前記複数の前記吸収体の各々を順次形成する連続吸収体切断工程と、を更に備え、前記吸収体形成工程において、前記吸収体除去部の切断および前記連続吸収体の切断は、前記吸収コアよりも前記搬送方向の外側において行われる、上記（１）乃至（６）のいずれか一項に記載の尿取りパッドの製造方法でもよい。
本尿取りパッドの製造方法では、連続吸収体切断工程において、吸収体除去部の切断および連続吸収体の切断は、吸収コアよりも搬送方向の外側において行われる。それにより、コアラップの切断において、吸収コアが切断され難くなり、したがって、切断部分から吸収コアの材料がこぼれてしまい製造ラインを汚染してしまう、等の事態を抑制できる。
【００１６】
本発明の尿取りパッドの製造方法は、（８）前記吸収体除去部は、前記横断方向の外側の位置で搬送方向に長く、前記横断方向の内側の位置で搬送方向に短い形状を有する、上記（７）に記載の尿取りパッドの製造方法、であってもよい。
本尿取りパッドの製造方法では、吸収体切断工程において、吸収体除去部を切断すると、吸収体除去部は、横断方向の外側の端縁を折り線として折り畳まれたシートとなる。そのため、吸収体除去部が、横断方向の外側に長く、横断方向の内側で短い形状、例えば台形のような形状を有することで、折り畳まれたシートにおける、折り線と反対側の部分が、短くなるため、大きく開くことを抑制できる。それにより、吸収体除去部における折り線と反対側の部分が大きく開いて接着剤が剥き出しとなり、吸収体除去部が切断刃などに接合したまま除去し難くなることを抑制できる。
【００１７】
本発明の尿取りパッドの製造方法は、（９）前記吸収性本体において、前吸収体は、下層吸収体と、前記下層吸収体に積層され、平面視で、前記下層吸収体よりも前記搬送方向および前記横断方向に大きい上層吸収体と、を含み、複数の前記下層吸収体の各々と、複数の前記上層吸収体の各々と、を接着して、前記複数の前記吸収体を形成する吸収体形成工程、を更に備え、前記下層吸収体と前記上層吸収体とを接合する接着剤は、平面視で、前記下層吸収体よりも狭い領域に塗布されている、上記（１）乃至（８）のいずれか一項に記載の尿取りパッドの製造方法、であってもよい。
本尿取りパッドの製造方法では、吸収体が、下層吸収体と、下層吸収体よりも搬送方向および横断方向に大きい上層吸収体と、を含み、下層吸収体と上層吸収体とを接着する接着剤は、平面視で、下層吸収体よりも狭い領域に塗布されている。それにより、下層吸収体と上層吸収体とを接合する接着剤を搬送方向および横断方向の外側に拡がり難くすることができ、隅部切断工程で除去部が除去されるとき、接着剤が切断刃などに付着し難くすることができ、除去部が切断刃などに接合してしまい除去し難くなることを抑制できる。
【００１８】
本発明の尿取りパッドの製造方法は、（１０）前記資材積層工程において、前記連続吸収性本体における前記中間領域における、前記連続裏面シートと前記連続表面シートとが接着された領域は、接着剤が間欠的に塗布された領域を含む、上記（１）乃至（９）のいずれか一項に記載の尿取りパッドの製造方法、でもよい。
本尿取りパッドの製造方法では、連続吸収性本体における中間領域付近における、連続裏面シートと連続表面シートとが接着された領域は、接着剤が間欠的に塗布された領域を含む。そのため、隅部切断工程で除去部が除去されるとき、接着剤が切断刃などに付着し難くでき、除去部が切断刃などに接合してしまい除去し難くなることを抑制できる。
【００１９】
本発明の尿取りパッドの製造方法は、（１１）前記除去部は、前記横断方向の外側の位置で搬送方向に長く、前記横断方向の内側の位置で搬送方向に短い形状を有する、上記（１）乃至（１０）のいずれか一項に記載の尿取りパッドの製造方法、であってもよい。
本尿取りパッドの製造方法では、一対の連続サイドシートは、横断方向の外側の両端部で折り畳まれている。したがって、隅部切断工程において、除去部を切断すると、除去部は、横断方向の両端を折り線として折り畳まれたシートとなる。そのため、除去部は、横断方向の外側で長く、横断方向の内側で短い形状、例えば台形のような形状を有することで、折り畳まれたシートにおける、折り線と反対側の部分が、狭くなるため、大きく開くことを抑制できる。それにより、除去部における折り線と反対側の部分が大きく開いて接着剤が剥き出しとなって除去部が切断刃などに接合したまま除去し難くなる、という事態を抑制できる。
【発明の効果】
【００２０】
本発明によれば、吸収性本体の長手方向（搬送方向）の両端部において、幅方向（横断方向）の両端部から除去部を除去して、幅方向（横断方向）の内側に窪む形状を形成するする工程、を有する尿取りパッドの製造方法において、切断などに伴う製造ラインの汚染をより抑制することが可能な尿取りパッドの製造方法を提供することができる。
【図面の簡単な説明】
【００２１】
【図１】実施形態に係る尿取りパッドの平面図である。
【図２】図１のＩＩ−ＩＩ断面図である。
【図３】実施形態に係る尿取りパッドの構成例を説明するための模式図である。
【図４】実施形態に係る尿取りパッドの構成例を説明するための模式図である。
【図５】パンツ型おむつに尿取りパッドを取り付けた状態を示す平面図である。
【図６】実施形態に係る尿取りパッドの製造方法を説明するための模式図である。
【図７】実施形態に係る尿取りパッドの製造方法を説明するための模式図である。
【図８】実施形態に係る尿取りパッドの製造方法を説明するための模式図である。
【図９】実施形態に係る尿取りパッドの製造方法を説明するための模式図である。
【図１０】実施形態に係る尿取りパッドの製造方法を説明するための模式図である。
【図１１】実施形態に係る尿取りパッドの製造方法を説明するための模式図である。
【図１２】実施形態に係る尿取りパッドの製造方法を説明するための模式図である。
【図１３】実施形態に係る尿取りパッドの製造方法を説明するための模式図である。
【図１４】従来の尿取りパッドの製造方法を説明するための模式図である。
【図１５】従来の尿取りパッドの製造方法を説明するための模式図である。
【発明を実施するための形態】
【００２２】
以下、実施形態に係る尿取りパッドの製造方法について図面を参照して説明する。まず、本製造方法で製造される尿取りパッドについて説明する。
【００２３】
図１〜図２は本実施形態に係る尿取りパッド１の構成例を示している。ただし、図１は尿取りパッド１の平面図であり、図２は図１のＩＩ−ＩＩ断面図である。尿取りパッド１は、長手方向Ｌ、幅方向Ｗおよび厚さ方向Ｔを有し、幅方向Ｗの中心を通り、長手方向Ｌに延びる長手方向中心線ＣＬと、長手方向Ｌの中心を通り、幅方向Ｗに延びる幅方向中心線ＣＷを更に有する。長手方向中心線ＣＬに近づく向きおよび側をそれぞれ幅方向Ｗの内向きおよび内側とし、遠ざかる向きおよび側をそれぞれ幅方向Ｗの外向きおよび外側とする。幅方向中心線ＣＷに近づく向きおよび側をそれぞれ長手方向Ｌの内向きおよび内側とし、遠ざかる向きおよび側をそれぞれ長手方向Ｌの外向きおよび外側とする。また、図１において、向って上方を長手方向Ｌの前方側または腹側とし、向って下方を長手方向Ｌの後方側または背側とする。長手方向Ｌおよび幅方向Ｗを含む平面に展開した状態の尿取りパッド１を厚さ方向Ｔの上方側から見ることを平面視といい、平面視で把握される形状を平面形状という。幅方向Ｗおよび長手方向Ｌを含む面と平行な任意の方向を平面方向という。尿取りパッド１が装着者に装着されたときに、厚さ方向Ｔにおいて相対的に装着者の肌面に近くなる側および遠くなる側をそれぞれ肌側および非肌側という。これら定義は、尿取りパッド１だけでなく、尿取りパッド１の資材や、尿取りパッド１が装着されるパンツ型おむつ１００およびその資材にも共通に用いられる。ある部材等のある方向（例示：長手方向Ｌ、幅方向Ｗ）の端部とは、その部材等の、その方向の端縁からその方向での全体の長さの１／４（好ましくは１／８）以下の寸法の範囲をいう。例えば、尿取りパッド１の幅方向Ｗの端部とは、尿取りパッド１の幅方向Ｗの端縁から、尿取りパッド１の幅方向Ｗの最大長さの１／４の幅の範囲をいう。長手方向Ｌまたは幅方向Ｗに「沿う」とは、長手方向Ｌまたは幅方向Ｗに対して±３０°の範囲の方向に沿うことを含むものとする。
【００２４】
図１および図２に示すように、尿取りパッド１は、表面シート２と、裏面シート３と、吸収体４と、を含む吸収性本体１０を備える。本実施形態では、吸収性本体１０は、更に、外装シート５を備える。
【００２５】
表面シート２は、厚さ方向Ｔにおいて肌側に位置する液透過性シートである。表面シート２としては、例えば、液透過性の不織布や織布、液透過孔が形成された合成樹脂フィルム、これらの複合シートなどが挙げられる。裏面シート３は、厚さ方向Ｔにおいて非肌側に位置する液不透過性のシートである。裏面シート３としては、例えば、液不透過性の不織布や合成樹脂フィルム、不織布と合成樹脂フィルムとの複合シート、ＳＭＳ不織布などが挙げられる。外装シート５は、厚さ方向Ｔにおいて裏面シート３よりも非肌側に位置する液不透過性のシートである。外装シート５としては、例えば、裏面シート３として記載の材料のいずれかを用いることができる。吸収体４は、表面シート２と裏面シート３との間に位置する、液吸収性および液保持性を有する部材である。吸収体４は、肌側に位置し、吸収コア４Ａａと吸収コア４Ａａを包むコアラップ４Ａｂとを含む上層吸収体４Ａと、非肌側に位置し、吸収コア４Ｂａと吸収コア４Ｂａを包むコアラップ４Ｂｂとを含む下層吸収体４Ｂと、を備える。吸収コア４Ａａ、４Ｂａとしては、例えばパルプ繊維、高分子吸収体、それらの組み合わせが挙げられる。コアラップ４Ａｂ、４Ｂｂとしては、例えば不織布やティッシュが挙げられる。なお、吸収体４が有する層の数には特に制限はない。
【００２６】
上層吸収体４Ａの形状は、長手方向Ｌに長く、長手方向Ｌの中央部に、幅方向Ｗの内側に向かう括れ部１２を備える略瓢箪形状または略砂時計状である。一方、下層吸収体４Ｂの形状は、平面視で長手方向Ｌに長く、幅方向Ｗが短い略矩形状を有する。下層吸収体４Ｂにおいて、長手方向Ｌの寸法は上層吸収体４Ａの長手方向Ｌの寸法よりも短く、幅方向Ｗの寸法は上層吸収体４Ａの幅方向Ｗの寸法よりも短い。したがって、上層吸収体４Ａの長手方向Ｌおよび幅方向Ｗの両端縁は、それぞれ下層吸収体４Ｂの長手方向Ｌおよび幅方向Ｗの両端縁よりも外側に位置する。なお、吸収体４の形状については特に制限はない。
【００２７】
本実施形態では、吸収性本体１０は、一対のサイドシート６を更に含む。一対のサイドシート６は、吸収性本体１０の幅方向Ｗの両側部を、外装シート５（裏面シート３）非肌側の表面から表面シート２の肌側の表面にかけて覆う液不透過性のシートである。一対のサイドシート６の各々は、一対の防漏壁６ａと、一対の防漏弾性部材７を含む。各サイドシート６において、表面シート２を覆う、肌側の部分のうちの幅方向Ｗの内側の部分により、防漏壁６ａが形成されている。一方、肌側の部分のうちの幅方向Ｗの外側の部分により、外側固定部６ｂが形成されている。外側固定部６ｂは、防漏壁６ａにおける幅方向Ｗの外側の端部を表面シート２に固定する。なお、防漏壁６ａにおける幅方向Ｗの内側の端部は固定されていない。したがって、防漏壁６ａは、幅方向Ｗの外側の端縁が固定端とされ、幅方向Ｗの内側の端縁が自由端とされている。防漏壁６ａの自由端には、長手方向Ｌに沿って延びる防漏弾性部材７が配置されている。それらにより、防漏壁６ａは、尿取りパッドの装着時に、厚さ方向Ｔに起立可能である。各サイドシート６における長手方向Ｌの両端部には、防漏壁６ａにおける長手方向Ｌの両端部を表面シート２に固定する長手方向固定部１４が形成されている。各サイドシート６としては、例えば、裏面シート３のとして記載の材料のいずれかを用いることができる。
【００２８】
本実施形態では、吸収性本体１０は、一対の脚弾性部材８を更に含む。一対の脚弾性部材８は、吸収性本体１０の幅方向Ｗの両端部における一対のサイドシート６の内側かつ長手方向Ｌの中央部に位置し、長手方向Ｌに沿って延びる弾性部材である。具体的には、脚弾性部材８は、裏面シート３（外装シート５）の非肌側において、長手方向Ｌの両端部（の直線部２２（後述））よりも、長手方向Ｌの内側かつ幅方向Ｗの両端部に、括れ部１２を跨ぐように配置されている。すなわち、脚弾性部材８は、非肌側のサイドシート６と裏面シート３との間に配置されている。ただし、例えば、非肌側のサイドシート６と表面シート２との間や、肌側のサイドシート６と外装シート５、裏面シート３または表面シート２との間や、表面シート２と裏面シート３との間などに配置されてもよい。脚弾性部材８および上述の防漏弾性部材７としては、例えば糸ゴムが挙げられ、脚弾性部材８および上述の防漏弾性部材７の数は一本でも複数本でもよい。
【００２９】
吸収体４の肌側の表面、すなわち上層吸収体４Ａの肌側の面と表面シート２とは互いに所定パターンの接着剤により接合される。吸収体４の非肌側の表面、すなわち下層吸収体４Ｂの非肌側の面と裏面シート３とは互いに所定パターンの接着剤により接合される。上層吸収体４Ａの非肌側の表面と下層吸収体４Ｂの肌側の表面とは互いに所定パターンの接着剤により接合される。表面シート２と裏面シート３とはそれらの周縁部分にて互いに所定パターンの接着剤により接合される。また、一対のサイドシート６と表面シート２とは互いに所定パターンの接着剤によりに接合され、外装シート５と裏面シート３とは互いに所定パターンの接着剤によりに接合される。外装シート５と一対のサイドシート６とはそれらの周縁部分にて互いに所定パターンの接着剤により接合される。一対の防漏弾性部材７は、一対のサイドシート６の幅方向Ｗの内側の端部の一部が折り返された部分に接着剤で接合される。一対の脚弾性部材８は、上層吸収体４Ａの幅方向Ｗの両端部の括れ部１２を長手方向Ｌに跨ぐように（架け渡すように）、一対のサイドシート６と外装シート５とに接着剤で接合される。ただし、各脚弾性部材８における長手方向Ｌの両端部は、サイドシート６と外装シート５とには接着剤で接合されない。所定パターンとしては、特に制限はないが、例えばスパイラルパターン、ストライプパターン、オメガパターンが挙げられる。接着剤の坪量（ｇ／ｍ２）は、資材や性能等を考慮して適宜調整される。坪量は例えば０．５〜５０ｇ／ｍ2、好ましくは１〜２５ｇ／ｍ2である。接着剤の坪量は、尿取りパッド１の所定面積の資材（表面シート２、裏面シート３、吸収体４など）に塗布される接着剤の塗布量（質量）を、その所定面積で除算して算出する。
【００３０】
本実施形態では、吸収体４は、一対の圧搾部ＥＢを備える。一対の圧搾部ＥＢは、吸収体４の長手方向Ｌの一方の端縁から他方の端縁まで延び、幅方向Ｗに間隔を空けて並ぶ。一対の圧搾部ＥＢは、吸収体４を、上層吸収体４Ａの肌側の表面から下層吸収体４Ｂの非肌側の表面へ向かって厚さ方向Ｔに圧搾して形成される。よって、各圧搾部ＥＢは、上層吸収体４Ａと下層吸収体４Ｂとを接合する。ただし、一対の圧搾部ＥＢは、表面シート２および吸収体４の両方を圧搾して形成されてもよい。一対の圧搾部ＥＢの各々は、平面視で、直線状に形成される。その形状は特に制限されず、例えば、排泄口当接域を挟んで幅方向Ｗの内側に凸な曲線状に形成されていてもよい。
【００３１】
本実施形態では、吸収体４において、上層吸収体４Ａは、肌側から非肌側に向かって厚さ方向Ｔに窪んだ、好ましくは貫通したスリット９Ａを有する。スリット９Ａは、尿取りパッド１の長手方向Ｌの中央部に位置し、吸収体４の幅方向Ｗの中心を通って長手方向Ｌに延在する。下層吸収体４Ｂは、肌側から非肌側に向かって厚さ方向Ｔに窪んだ、好ましくは貫通したスリット９Ｂを有する。スリット９Ｂは、尿取りパッド１の長手方向Ｌの中央部に位置し、吸収体４の幅方向Ｗの中心を通って長手方向Ｌに延在する。スリット９Ａ、９Ｂは、平面視で、一部が、好ましく全部が互いに一致するように形成される。それにより、排泄された尿が上層吸収体４Ａのスリット９Ａを介して下層吸収体４Ｂに達したとき、その尿を、スリット９Ｂを介して下層吸収体４Ｂの更に内部へ引き込むことができ、吸収体４をその容量の限界近くまで使用可能にできる。スリット９Ａ、９Ｂの平面視での長手方向Ｌの寸法（長さ）および幅方向Ｗの寸法（幅）等は、上層吸収体４Ａおよび下層吸収体４Ｂのサイズ等を考慮して適宜調整される。スリット９Ａ、９Ｂの幅および長さは、例えば、５．０〜５０ｍｍｍおよび５０〜３００ｍｍが挙げられる。
【００３２】
次に、本実施形態に係る尿取りパッド１の長手方向Ｌの端部について更に説明する。図３および図４は、実施形態に係る尿取りパッドにおける長手方向Ｌの端部の構成例を説明するための模式図である。
【００３３】
吸収性本体１０では、長手方向Ｌの両端部の各々において、幅方向Ｗの端縁１０Ｗｅが、傾斜部２１と直線部２２とを有する。言い換えると、吸収性本体１０には、四つの隅部ＰＡの各々に、傾斜部２１および直線部２２が形成されている。傾斜部２１は、吸収性本体１０の幅方向Ｗの端縁１０Ｗｅのうちの、長手方向Ｌの内側から外側に向かうに連れて、幅方向Ｗの内側に向かう部分である。すなわち、傾斜部２１は、長手方向Ｌに平行な方向に対して、幅方向Ｗの内側に向かって斜めに傾いている。直線部２２は、吸収性本体１０の幅方向Ｗの端縁１０Ｗｅのうちの、傾斜部２１における長手方向Ｌの外側の端に連結し、長手方向Ｌに沿って延びる部分である。すなわち、直線部２２は、長手方向Ｌに最も外側で、長手方向Ｌにほぼ平行である。直線部２２の長手方向Ｌの長さ（寸法）は、傾斜部２１の長手方向Ｌの長さ（寸法）よりも長いことが好ましい。それにより、吸収性本体１０の幅方向Ｗの両端部の各々における長手方向Ｌの長さ（寸法）をより短くできる。
【００３４】
本実施形態では、吸収性本体１０は、吸収性本体１０の長手方向Ｌの両端部に、直線部領域ＤＡを含む。直線部領域ＤＡは、吸収性本体１０の幅方向Ｗの両端部に位置する直線部２２を幅方向Ｗの両端縁とし、幅方向Ｗに延在する。直線部領域ＤＡは、直線部２２を幅方向Ｗの両端縁とし、吸収性本体１０の長手方向Ｌの端縁１０Ｌｅおよびそれに平行な一辺を長手方向Ｌの両端縁とする矩形形状を有する。したがって、直線部２２を相対的に長くすることで、直線部領域ＤＡにおける長手方向Ｌの寸法（長さ）をより長くできる。
【００３５】
直線部領域ＤＡは、平面視で、吸収体４と部分的に重複する重複領域ＯＡを含む。重複領域ＯＡは、吸収体４における長手方向Ｌの外側の端部と、直線部領域ＤＡにおける長手方向Ｌの内側の端部と、が重複した領域である。重複領域ＯＡにより、直線部領域ＤＡを含む吸収性本体１０の長手方向Ｌの両端部の剛性を高くでき、それら両端部の捲れ、折れ等を抑制できる。
【００３６】
本実施形態では、吸収体４は、長手方向Ｌの両端部の各々において、吸収体傾斜部３１と吸収体直線部３２とを有する。したがって、吸収体４の上層吸収体４Ａには、四つの隅部の各々に、吸収体傾斜部３１および吸収体直線部３２が形成される。吸収体傾斜部３１は、上層吸収体４Ａの幅方向Ｗの端縁のうちの、長手方向Ｌの内側から外側に向かうに連れて、幅方向Ｗの内側に向かう部分である。吸収体直線部３２は、上層吸収体４Ａの幅方向Ｗの端縁のうちの、吸収体傾斜部３１における長手方向Ｌの外側の端に連結し、長手方向Ｌに沿って延びる部分である。吸収体傾斜部３１および吸収体直線部３２は、それぞれ傾斜部２１および直線部２２よりも、長手方向Ｌの内側かつ幅方向Ｗの内側に位置する。
【００３７】
本実施形態では、上層吸収体４Ａの吸収コア４Ａａは、長手方向Ｌの両端部の各々において、吸収コア傾斜部４１と吸収コア直線部４２とを有する。吸収コア４Ａａには、四つの隅部の各々に、吸収コア傾斜部４１と吸収コア直線部４２が形成されている。吸収コア傾斜部４１は、吸収コア４Ａａの幅方向Ｗの端縁のうちの、長手方向Ｌの内側から外側に向かうに連れて、幅方向Ｗの内側に向かう部分である。吸収コア直線部４２は、吸収コア４Ａａの幅方向Ｗの端縁のうちの、吸収コア傾斜部４１における長手方向Ｌの外側の端に連結し、長手方向Ｌに沿って延びる部分である。吸収コア傾斜部４１および吸収コア直線部４２は、それぞれ吸収体傾斜部３１および吸収体直線部３２よりも、長手方向Ｌの内側かつ幅方向Ｗの内側に位置する。
【００３８】
本実施形態では、尿取りパッド１は、裏面シート３の非肌側における、直線部領域ＤＡよりも長手方向Ｌの内側に位置し、重複領域ＯＡの幅方向Ｗの長さよりも短い長さで、所定の幅を有する結合部材１１を更に備える。結合部材１１は、尿取りパッド１の吸収性本体１０をパンツ型おむつに固定する部材であり、面ファスナーのフックに例示される。その場合、パンツ型おむつの表面の資材、例えば不織布が面ファスナーのループとなる。
【００３９】
図５はパンツ型おむつ１００（展開状態）に尿取りパッド１を取り付けた状態を示す平面図である。パンツ型おむつ１００は、一対の防漏壁１０６ａにおける長手方向固定部１０９の間の部分と表面シート（図示されず）との間に、尿取りパッド１の幅方向Ｗの両端部を収容可能な一対の収容領域ＳＡを備える。それら一対の収容領域ＳＡに、尿取りパッド１の幅方向Ｗの両端部が挟み込まれることで、パンツ型おむつ１００に尿取りパッド１が装着される。尿取りパッド１では、幅方向Ｗの両端部の各々において、長手方向Ｌの寸法が短くなっている。それゆえ、吸収量の増加のために尿取りパッド１の長手方向Ｌの寸法が長くされた場合でも、尿取りパッド１の幅方向Ｗの両端部をパンツ型おむつ１００の一対の収容領域ＳＡに収容できる。
【００４０】
次に、実施形態に係る尿取りパッド１の製造方法について説明する。図６〜図１３は、実施形態に係る尿取りパッド１の製造方法を説明するための模式図である。本製造方法において、尿取りパッド１用のシート部材等の資材や半製品が搬送される方向を搬送方向ＭＤとし、搬送方向ＭＤに直交し、搬送面に平行な方向を横断方向ＣＤとし、搬送方向ＭＤおよび搬送面に直交する方向を上下方向ＴＤとする。本実施形態では、尿取りパッド１やその資材等の長手方向Ｌ、幅方向Ｗおよび厚さ方向Ｔは、それぞれ搬送方向ＭＤ、横断方向ＣＤおよび上下方向ＴＤと同じである。
【００４１】
本実施形態に係る尿取りパッド１の製造方法は、弾性部材配置工程と、資材積層工程と、隅部切断工程と、端部切断工程と、を備えており、吸収体形成工程を更に備えてもよい。なお、特に断らない限り、各工程では、各シートや各部材などが搬送方向ＭＤに搬送されつつ、各工程の処理が実行される。
【００４２】
弾性部材配置工程について説明する。弾性部材配置工程は、少なくとも、搬送方向に延び、横断方向に間隔を空けて並んだ一対の連続サイドシートの各々に、前記搬送方向に延び、前記横断方向に間隔を空けて並んだ一対の連続脚弾性部材の各々を、前記搬送方向に間欠的に接着する。本実施形態における弾性部材配置工程の具体的な態様を以下に示す。
【００４３】
まず、図６（ａ）に示すように、搬送方向ＭＤに延びるシートを、横断方向ＣＤの中心でカットして、搬送方向ＭＤに延び、横断方向ＣＤに間隔を空けて並んだ、一対のサイドシート６用の一対の連続サイドシート２０６を形成する。
【００４４】
次いで、図６（ｂ）に示すように、その一対の連続サイドシート２０６の各々における横断方向ＣＤの外側の部分に、搬送方向ＭＤに延び、横断方向ＣＤに間隔を空けて並んだ、一対の防漏弾性部材７用の一対の連続防漏弾性部材２０７を、搬送方向ＭＤに間欠的に接着剤等で接着する。そのとき、連続防漏弾性部材２０７における接着される部分は、連続サイドシート２０６または連続防漏弾性部材２０７に予め間欠的に塗布された接着剤ＨＭ１で接着される。連続防漏弾性部材２０７における接着されない部分は、吸収性本体１０における防漏弾性部材７が配置されない領域に対応する位置の連続防漏弾性部材２０７であり、後述される。
【００４５】
次いで、図６（ｃ）に示すように、一対の連続サイドシート２０６の各々における横断方向ＣＤの外側の端部２０６ｐを内側に折り返して、一対の連続防漏弾性部材２０７を覆う。なお、連続防漏弾性部材２０７の本数は任意である。
【００４６】
次いで、図７（ａ）に示すように、搬送方向ＭＤに延び、横断方向ＣＤに間隔を空けて並んだ、一対の脚弾性部材８用の一対の連続脚弾性部材２０８の各々を、一対の連続サイドシート２０６の各々における横断方向ＣＤの内側の端部に、搬送方向ＭＤに間欠的に接着剤等で接着する。そのとき、連続脚弾性部材２０８における接着される部分は、連続サイドシート２０６または連続脚弾性部材２０８に予め間欠的に塗布された接着剤ＨＭ２で接着される。一方、連続脚弾性部材２０８における接着されない部分は、吸収性本体１０における脚弾性部材８が配置されない領域に対応する位置の連続脚弾性部材２０８であり、後述される。なお、連続脚弾性部材２０８の本数は任意である。
【００４７】
なお、図６（ａ）の工程は省略してもよい。すなわち、予め分離された一対の連続サイドシート２０６を用いてもよい。また、図６（ａ）〜図６（ｃ）の工程は省略してもよい。すなわち、一対の連続サイドシート２０６に、一対の連続防漏弾性部材２０７と一対の連続脚弾性部材２０８とが接着されたもの予め準備してもよい。また、連続防漏弾性部材２０７を省略してもよい。
【００４８】
次に資材積層工程について説明する。資材積層工程は、少なくとも、前記一対の連続サイドシートの上に、前記搬送方向に延びる連続裏面シート、前記搬送方向に並んだ複数の吸収体および前記搬送方向に延びる連続表面シートが積層され、前記一対の連続サイドシート、前記連続裏面シート、前記複数の吸収体および前記連続表面シートが互いに接着された状態を形成し、前記一対の連続サイドシートを、前記連続表面シートの上に折り畳んで、連続吸収性本体を形成する。本実施形態の資材積層工程の具体的態様を以下に示す。
【００４９】
まず、図７（ｂ）に示すように、一対の連続サイドシート２０６における横断方向ＣＤの内側の端部の各々を跨ぐように、搬送方向ＭＤに延びる、裏面シート３用の連続裏面シート２０３を載置し、接着剤等で接着する。ただし、尿取りパッド１が外装シート５を備える場合、一対の連続サイドシート２０６と連続裏面シート２０３との間に、搬送方向ＭＤに延びる、外装シート５用の連続外装シート２０５を配置する。
【００５０】
次いで、図７（ｃ）に示すように、連続裏面シート２０３上に、搬送方向ＭＤに並んだ複数の吸収体２０４を順次載置し、接着する。吸収体２０４は、上層吸収体２０４Ａおよび下層吸収体２０４Ｂが積層された構造を有する。ただし、吸収体２０４は吸収体４、上層吸収体２０４Ａは上層吸収体４Ａ、下層吸収体２０４Ｂは下層吸収体４Ｂにそれぞれ相当する。なお、吸収体２０４の層数は任意であり、吸収体２０４が一層、例えば上層吸収体２０４Ａ（上層吸収体４Ａ）のみで構成されてもよい。なお、図では吸収体２０４の外形のみを示し、詳細な記載を省略している。
【００５１】
次いで、図８（ａ）に示すように、搬送方向ＭＤに延びる、表面シート２用の連続表面シート２０２を、複数の吸収体２０４の上に載置し、接着剤等で接着する。このようにして、一対の連続サイドシート２０６の上に、連続裏面シート２０３、複数の吸収体２０４および連続表面シート２０２が積層され、それらが互いに接着された状態が形成される。なお、連続裏面シート２０３、吸収体２０４および連続表面シート２０２が積層された状態を形成するのに、一対の連続サイドシート２０６の上に順番に連続裏面シート２０３、吸収体２０４および連続表面シート２０２を積層する必要はない。例えば、予め、連続裏面シート２０３、吸収体２０４および連続表面シート２０２が積層された積層体を形成しておき、その積層体を一対の連続サイドシート２０６の上に積層してもよい。なお、図８以降の図では、接着剤ＨＭ１、ＨＭ２の記載を省略している。
【００５２】
次いで、図８（ｂ）に示すように、一対の連続サイドシート２０６を、連続表面シート２０２の上に折り畳む。それにより、連続吸収性本体２１０が形成される。連続吸収性本体２１０は、吸収性本体２１０ａ（１０）が搬送方向ＭＤに連結した構造を有する。そのとき、各連続サイドシート２０６における連続表面シート２０２の上に折り畳まれた部分において、横断方向ＣＤの外側の部分は、連続表面シート２０２の横断方向ＣＤの端部に接着剤等で接着されて、端部固定部２０６ｂ（外側固定部６ｂに対応）を形成する。一方、横断方向ＣＤの内側の部分は、連続表面シート２０２における吸収体２０４の搬送方向ＭＤの両外側に対応する位置に接着剤等で接着されて、前後固定部２１４（長手方向固定部１４に対応）を形成する。その場合、端部固定部２０６ｂにおける接着剤の塗布量は、前後固定部２１４における接着剤の塗布量よりも多くされる。
【００５３】
ただし、連続サイドシート２０６、連続裏面シート２０３、吸収体２０４および連続表面シート２０２の各々間の接着剤の塗布パターンとしては、特に制限はないが、間欠的に塗布するパターンが好ましく、例えば、ストライプパターンやスパイラルパターンやオメガパターンなどが挙げられる。特に、隅部切断工程や端部切断工程で切断刃が通る箇所に対してそれらパターンを用いることは、切断刃への接着剤の付着が抑えられ、好ましい。
【００５４】
また、一対の連続脚弾性部材２０８の位置は、一対の連続サイドシート２０６上に限定されるものではなく、その後に積層される連続裏面シート２０３や連続表面シート２０２などの上における横断方向ＣＤの両端部に配置してもよい。
【００５５】
ここで、吸収体２０４を形成する吸収体形成工程について説明する。吸収体形成工程は、少なくとも、連続吸収体形成工程と、連続吸収体切断工程と、を有している。連続吸収体形成工程は、前記搬送方向に並んだ複数の吸収コアを包み込み、前記搬送方向に延びる連続コアラップにおける、前記複数の吸収コアの各々に対して前記搬送方向の前方の部分および後方の部分をそれぞれ接着することにより、前記搬送方向に前記複数の前記吸収体が連結された連続吸収体を形成する。連続吸収体切断工程は、前記連続吸収体における互いに隣接する吸収体の間の境界において、前記横断方向の両端部から吸収体除去部を切断して、前記横断方向の内側に窪む形状を形成すると共に、前記連続吸収体を、前記境界で順次切断して、前記複数の前記吸収体の各々を順次形成する。本実施形態の吸収体形成工程の具体的態様を以下に示す。
【００５６】
上層吸収体２０４Ａについて説明する。図９（ａ）に示す、搬送方向ＭＤに延びる、コアラップ４Ａｂ用の連続コアラップシート２０４Ａｂ上に、図９（ｂ）に示すように、搬送方向ＭＤに並んだ複数の吸収コア２０４Ａａを順次載置する。ただし、吸収コア２０４Ａａは、所定の型にパルプ繊維や高分子吸収体を詰め込むことで形成される。
【００５７】
次いで、図９（ｃ）に示すように、連続コアラップシート２０４Ａｂにおける横断方向ＣＤの両外側の部分を、吸収コア２０４Ａａの上に折り畳んで、吸収コア２０４Ａａを包み込みつつ、互いに接着剤等で接着する。そして、搬送方向ＭＤに延びる連続コアラップシート２０４Ａｂにおける、吸収コア２０４Ａａに対して搬送方向ＭＤの前方の部分および後方の部分をそれぞれ接着する。それにより、搬送方向ＭＤに複数の上層吸収体２０４Ａが連結された連続吸収体２０４ＡＸが形成される。一方、上層吸収体２０４Ａの連続吸収体２０４ＡＸと同様の方法で、搬送方向ＭＤに複数の下層吸収体２０４Ｂが連結された連続吸収体ＢＸが形成される（図示されず）。
【００５８】
次いで、図１０（ａ）に示すように、連続吸収体２０４ＢＸを、連続吸収体２０４ＡＸにおける上下方向ＴＤの下方に接合する。そして、連続吸収体２０４ＡＸ（上層吸収体２０４Ａ）の肌側の表面から連続吸収体２０４ＢＸ（下層吸収体２０４Ｂ）の非肌側の表面へ向かって上下方向ＴＤに圧搾して一対の圧搾部ＥＢを形成する。それにより、連続吸収体２０４ＡＸ（上層吸収体２０４Ａ）と連続吸収体２０４ＢＸ（下層吸収体２０４Ｂ）とが接合される。
【００５９】
次いで、図１０（ｂ）に示すように、連続吸収体２０４ＡＸおよび連続吸収体２０４ＢＸにおける互いに隣り合う上層吸収体２０４Ａおよび下層吸収体２０４Ｂの間の境界ＫＸにおいて、横断方向ＣＤの両端部から吸収体除去部２０４Ｋを切断して、横断方向ＣＤの内側に窪む形状を形成する。それと共に、連続吸収体２０４ＡＸおよび連続吸収体２０４ＢＸを、境界ＫＸで順次切断する。それにより、複数の吸収体２０４の各々が順次形成される。ここで、吸収体除去部２０４Ｋの形状は、横断方向ＣＤの外側の縁における搬送方向ＭＤの寸法は相対的に長く、横断方向ＣＤの内側ほど、搬送方向ＭＤの寸法は相対的に短いことが好ましい。なお、上層吸収体２０４Ａにおいて、搬送方向ＭＤの中央部かつ横断方向ＣＤの両端部を部分的に切断し除去してもよい。
【００６０】
次に、隅部切断工程について説明する。隅部切断工程は、少なくともと、前記連続吸収性本体における互いに隣り合う前記吸収体の間の中間領域であって、前記一対の連続脚弾性部材が他のシートに接着されていない前記中間領域において、前記中間領域における前記横断方向の両端部から除去部を切断して、それぞれ前記横断方向の内側に窪む形状を形成すると共に、前記一対の連続脚弾性部材を切断する。本実施形態の隅部切断工程の具体的態様を以下に示す。
【００６１】
図８（ｂ）に引き続き、図１１を参照して、連続吸収性本体２１０には、互いに隣り合う吸収体２０４の間に中間領域ＭＡが存在する。言い換えると、中間領域ＭＡは、連続吸収性本体２１０における互いに隣り合う吸収性本体２１０ａの境界ＢＬを中心として搬送方向ＭＤの両側に一定の長さ延びる領域である。
【００６２】
次いで、図１２において、中間領域ＭＡにおける横断方向ＣＤの両端部からそれぞれ除去部２２１を切断して、それぞれ横断方向ＣＤの内側に窪む形状２２０を形成する。それと共に、一対の連続脚弾性部材２０８を切断する。このとき、各除去部２２１の外側の面は連続サイドシート２０６のみで形成されることが好ましい。また、除去部２２１の形状は、横断方向ＣＤの外側の縁における搬送方向ＭＤの寸法は相対的に長く、横断方向ＣＤの内側ほど、搬送方向ＭＤの寸法は相対的に短いことが好ましい。いずれも、除去部２２１による製造ラインの汚染を抑制するためである。
【００６３】
ここで、中間領域ＭＡでは、一対の連続脚弾性部材２０８は、他のシート（例示：連続裏面シート２０３、連続外装シート２０５、連続表面シート２０２、連続サイドシート２０６）に接着されていない。具体的には、図７（ａ）の工程において、連続脚弾性部材２０８を、連続サイドシート２０６に、搬送方向ＭＤに間欠的に接着している。そのとき、連続脚弾性部材２０８における、連続サイドシート２０６に接着していない部分（接着剤ＨＭ２のない部分）が、中間領域ＭＡに対応する部分になっている。したがって、連続吸収性本体２１０内の一対の連続脚弾性部材２０８のうちの接着されていない部分は、切断された位置から、吸収体２０４の搬送方向ＭＤの中心の位置を基準として内側に、長さＣＢ１だけ収縮することになる。一方、除去部２２１にも、除去部２２１に位置していた脚弾性部材２０８ｐが残存することになる。なお、一対の連続防漏弾性部材２０７の各々は、横断方向ＣＤの両端部の各々の除去部２２１よりも、内側に位置している。そのため、除去部２２１の切断では、切断されない。
【００６４】
次に、端部切断工程について説明する。端部切断工程は、少なくともと、前記連続吸収性本体を、前記中間領域における前記搬送方向の中心で順次切断して、前記吸収性本体を順次形成する。本実施形態における端部切断工程の具体的な態様を以下に示す。
【００６５】
図１３を参照して、連続吸収性本体２１０を、中間領域ＭＡにおける搬送方向ＭＤの中心、すなわち連続吸収性本体２１０における互いに隣り合う吸収性本体２１０ａの境界ＢＬで順次切断する。それにより、吸収性本体２１０ａが順次形成される。なお、このとき、一対の連続防漏弾性部材２０７も切断される。一対の連続防漏弾性部材２０７は、境界ＢＬ付近において、他のシート（例示：連続裏面シート２０３、連続外装シート２０５、連続表面シート２０２、連続サイドシート２０６）に接着されていない。具体的には、図６（ｂ）の工程において、連続防漏弾性部材２０７を、連続サイドシート２０６に、搬送方向ＭＤに間欠的に接着している。そのとき、連続防漏弾性部材２０７における、連続サイドシート２０６に接着していない部分（接着剤ＨＭ１がない部分）が、境界ＢＬ付近に対応する部分になっている。したがって、連続吸収性本体２１０内の一対の連続防漏弾性部材２０７のうちの接着されていない部分は、切断された位置から、吸収体２０４の搬送方向ＭＤの中心の位置を基準に、内側に長さＣＢ２だけ収縮するが、連続防漏弾性部材２０７の小片は生じない。
【００６６】
以上のようにして、本実施形態の尿取りパッド１が製造される。
【００６７】
本実施形態の尿取りパッド１が製造方法の作用効果について説明する。ただし、図１４〜図１５は従来の尿取りパッドの製造方法を説明するための模式図である。
【００６８】
本尿取りパッドの製造方法では、図１２に示す隅部切断工程において、連続吸収性本体２１０における隣り合う吸収体２０４の間の中間領域ＭＡで、横断方向ＣＤの両端部の各々から除去部２２１が切断され、横断方向ＣＤの内側に窪む形状２２０が形成される。その際、横断方向ＣＤの両端部で、一対の連続脚弾性部材２０８が切断される。その後、図１３に示す端部切断工程において、連続吸収性本体２１０が、中間領域ＭＡにおける搬送方向ＭＤの中心（境界ＢＬ）で順次切断されて、吸収性本体２１０ａ（１０）が順次形成される。ここで、中間領域ＭＡでは、一対の連続脚弾性部材２０８が他のシートに接着されていない。そのため、連続脚弾性部材２０８のうちの除去部２２１に含まれる部分は、隅部切断工程の後、収縮して除去部２２１のシート間に挟まれているだけの状態となる。そして、連続吸収性本体２１０における吸収体２０４を含む部分、すなわち吸収性本体２１０ａとなる部分が連結している中間領域ＭＡから、吸収性本体２１０ａとなる部分の二個分の除去部が除去部２２１として一度に切断される。したがって、二個分の除去部が一まとまりの除去部２２１になっているため、搬送方向ＭＤに比較的長くなる。よって、一まとまりの除去部２２１と共に切断された脚弾性部材２０８ｐは、比較的長い片となり、除去部２２１のシート中ほどに、シートの間に挟まれた状態を維持し易い。それゆえ、除去部２２１のシートが製造ラインから除去されるとき、シート間に挟まれているだけの状態でシートの中ほどに維持された脚弾性部材２０８ｐの長い片がシートから分離することが抑制される。また、除去部２２１は、上記のように、二個分の除去部が一まとまりになった除去部２２１であるため、その大きさは搬送方向ＭＤに比較的大きくなり、その数は少なくなる。そのため、切断された除去部２２１を製造ラインから除去し易くすることができる。
【００６９】
一方、上述された、従来の尿取りパッドの製造方法では、図１４に示す第３工程において、連続吸収性本体３１０における互いに隣り合う吸収体３０４の間の中間領域ＮＡで、連続吸収性本体３１０が、搬送方向ＭＤの中心で順次切断される。それと共に、一対の連続脚弾性部材３０８が切断される。それにより、吸収性本体３１０ａが順次形成される。その後、図１５に示す第４工程において、吸収性本体３１０ａにおける搬送方向ＭＤの両端部において、横断方向ＣＤの両端部の各々から除去部３２１が切断されて、横断方向ＣＤの内側に窪む形状３２０が形成される。この製造方法では、第３工程で、連続吸収性本体３１０の中間領域ＮＡが、搬送方向ＭＤの中心で切断されるときに、一対の連続脚弾性部材３０８も切断される。ここで、中間領域ＮＡでは、一対の連続脚弾性部材３０８が他のシート（連続表面シート３０２、連続裏面シート３０３、一対の連続サイドシート３０６）に接着されていない。したがって、連続脚弾性部材３０８は、切断により、他のシートに接着された部分、すなわち接着部分と、接着部分の端部に連結し、他のシートに接着されていない部分、すなわち非接着部分とを有する脚弾性部材３０８となる。そして、非接着部分は切断後に長さＣＢ３だけ収縮して小さくなり、他のシート間に挟まれただけの状態となる（カットバック）。その後、第４工程で、吸収性本体３１０ａにおける搬送方向ＭＤの両端部において、横断方向ＣＤの両端部から除去部３２１が切断されるとき、除去部３２１には脚弾性部材３０８のうちの非接着部分が含まれる。その非接着部分は、中間領域ＮＡのシート間に挟まれただけの状態なので、シートと共に切断され、シートの端に付着した小片３０８ｐとなる。そのため、そのようなシートの端に付着した脚弾性部材３０８の小片３０８ｐは、切断されたシートが製造ラインから除去されるとき、シートから簡単に分離して、製造ラインに残存してしまい、製造ラインを汚染するおそれがある。更に、第３工程で連続吸収性本体３１０を個々の吸収性本体３１０ａへ切断した後に、第４工程で除去部３２１を切断するので、除去部３２１の大きさは小さくなり、その数は多くなる。そのため、切断された除去部３２１が製造ラインから除去され難くなり、製造ラインを汚染するおそれがある。
【００７０】
しかし、図６〜図１３を用いて説明された本実施形態の尿取りパッド１の製造方法では、上記されたように、従来の尿取りパッドの製造方法で生じる事象が起こらず、脚弾性部材や除去部等の資材の一部が製造ラインに残存することを抑制できる。それにより、本実施形態の尿取りパッド１の製造方法は、製造ラインが汚染されることを抑制できる。
【００７１】
本実施形態の好ましい態様では、資材積層工程において、一対の連続サイドシート２０６の各々における一対の連続脚弾性部材２０８の各々が接着された面の上に、連続裏面シート２０３が積層され接着される。すなわち、連続脚弾性部材２０８が、連続サイドシート２０６と連続裏面シート２０３との間に挟持され、連続裏面シート２０３の非肌側に配置される。それにより、もし仮に、除去部２２１のシート間に挟まれた脚弾性部材２０８ｐが除去されずに製品に残存したとしても、製品において脚弾性部材２０８ｐは裏面シート３よりも非肌側に位置する可能性を高くすることができ、装着者の肌に悪影響を及ぼさないようにできる。
【００７２】
本実施形態の好ましい態様では、資材積層工程において、一対の連続サイドシート２０６を、連続表面シート２０２の上に折り畳んで、一対の連続防漏弾性部材２０７を、一対の連続脚弾性部材２０８よりも横断方向ＣＤの内側に配置する。それにより、隅部切断工程にて、横断方向ＣＤの両端部の各々から除去部２２１が切断されても、一対の連続防漏弾性部材２０７が切断されないようにできる。したがって、端部切断工程において、一対の連続防漏弾性部材２０７を切断するとき、連続防漏弾性部材２０７の小片を生じ難くすることができる。よって、資材の一部が製造ラインに残存することを抑制でき、製造ラインが汚染されることを抑制できる。
【００７３】
本実施形態の好ましい態様では、資材積層工程において、端部固定部２０６ｂにおける接着剤の坪量は、前後固定部２１４における接着剤の坪量よりも多い。ここで、一対の連続サイドシート２０６は、横断方向ＣＤの外側の両端部で折り畳まれている。したがって、隅部切断工程において、連続吸収性本体２１０の横断方向ＣＤの両端部から除去部２２１を切断して、横断方向の内側に窪む形状を形成すると、除去部２２１は、横断方向ＣＤの外側の端縁を折り線として折り畳まれたシートとなる。そのため、端部固定部２０６ｂ、すなわち、折り線に近い部分の接着剤の塗布量多くすることで、折り畳まれたシートにおける、折り線と反対側の部分が大きく開くことを抑制できる。それにより、除去部２２１における折り線と反対側の部分が大きく開いて接着剤が剥き出しとなり、除去部２２１が切断刃などに接合したまま除去し難くなることを抑制できる。
【００７４】
本実施形態の好ましい態様では、資材積層工程において、連続吸収性本体２１０における中間領域ＭＡにおける、連続裏面シート２０３と連続表面シート２０２とが接着された領域は、接着剤が間欠的に塗布された領域を含んでいる。すなわち、接着剤の塗布量が相対的に少なくなっている。そのため、隅部切断工程において、中間領域ＭＡから除去部２２１が除去されるとき、接着剤が切断刃などに付着し難くすることができ、除去部２２１、が切断刃などに接合してしまい除去し難くなることを抑制できる。
【００７５】
本実施形態の好ましい態様では、隅部切断工程において、連続吸収性本体２１０に含まれる一対の連続サイドシート２０６の各々における、連続裏面シート２０３に対して吸収体２０４と反対側に位置する部分の横断方向ＣＤの長さは、除去部２２１の横断方向ＣＤの長さよりも長い。すなわち、連続吸収性本体２１０における連続裏面シート２０３よりも下側において、一対の連続サイドシート２０６の各々における横断方向ＣＤの長さが、除去部２２１の横断方向ＣＤの長さよりも長い。そのため、隅部切断工程にて、連続吸収性本体２１０における横断方向ＣＤの両端部から、除去部２２１を切断するとき、除去部２２１の外側を覆うシート部材はすべて連続サイドシート２０６になる。したがって、除去部２２１の外側に別の複数のシート部材が存在する場合のように、除去部２２１の切断により、それら別の複数のシート部材が分離して、切断刃などに付着してしまい製造ラインを汚染してしまう、などの事態を抑制できる。
【００７６】
本実施形態の好ましい態様では、除去部２２１は、資材同士の接着用の接着剤の坪量が多い多量領域と、接着剤の坪量が少ない少量領域とを有しており、少量領域の面積は、多量領域の面積よりも広い。したがって、除去部２２１で使用される接着剤の量が少ないため、除去部２２１が切断されるとき、切断刃に付着する接着剤の量を少なくできる。それにより、除去部２２１が切断刃に接合したまま除去し難くなることを抑制できる。
【００７７】
本実施形態の好ましい態様では、除去部２２１は、横断方向ＣＤの外側の位置で搬送方向ＭＤに長く、横断方向ＣＤの内側の位置で搬送方向ＭＤに短い形状を有する。ここで、一対の連続サイドシート２０６は、横断方向ＣＤの外側の両端部で折り畳まれている。したがって、隅部切断工程において、除去部２２１を切断すると、除去部２２１は、横断方向ＣＤの両端を折り線として折り畳まれたシートとなる。そのため、除去部２２１は、横断方向ＣＤの外側で長く、横断方向ＣＤの内側で短い形状、例えば台形のような形状を有することで、折り畳まれたシートにおける、折り線と反対側の部分が、狭くなるため、除去部２２１が大きく開くことを抑制できる。それにより、除去部２２１における折り線と反対側の部分が大きく開いて接着剤が剥き出しとなり、除去部２２１が切断刃などに接合したまま除去し難くなることを抑制できる。
【００７８】
本実施形態の好ましい態様では、連続吸収体切断工程において、吸収体除去部２０４Ｋの切断および連続吸収体２０４ＡＸの切断は、吸収コア２０４Ａａよりも搬送方向ＭＤの外側において行われる。それにより、連続コアラップシート２０４Ａｂの切断において、吸収コア２０４Ａａが切断され難くなり、したがって、切断部分から吸収コア２０４Ａａの材料がこぼれてしまい製造ラインを汚染してしまう、などの事態を抑制できる。
【００７９】
本実施形態の好ましい態様では、吸収体除去部２０４Ｋは、横断方向ＣＤの外側の位置で搬送方向ＭＤに長く、横断方向ＣＤの内側の位置で搬送方向ＭＤに短い。ここで、吸収体切断工程において、吸収体除去部２０４Ｋを切断すると、吸収体除去部２０４Ｋは、横断方向ＣＤの外側の端縁を折り線として折り畳まれたシートとなる。そのため、吸収体除去部２０４Ｋが、横断方向ＣＤの外側に長く、横断方向ＣＤの内側で短い形状、例えば台形のような形状を有することで、折り畳まれたシートにおける、折り線と反対側の部分が、短くなるため、吸収体除去部２０４Ｋが大きく開くことを抑制できる。よって、吸収体除去部２０４Ｋにおける折り線と反対側の部分が大きく開いて接着剤が剥き出しとなり吸収体除去部２０４Ｋが切断刃などに接合したまま除去し難くなることを抑制できる。
【００８０】
本実施形態の好ましい態様では、吸収体形成工程における、下層吸収体２０４Ｂと上層吸収体２０４Ａとを接合する接着剤は、平面視で、下層吸収体２０４Ｂよりも狭い領域に塗布される。ここで、吸収体２０４は、平面視で、上層吸収体２０４Ａが下層吸収体２０４Ｂを含む大きさを有する。それにより、下層吸収体２０４Ｂと上層吸収体２０４Ａとを接合する接着剤を搬送方向ＭＤおよび横断方向ＣＤの外側に拡がり難くすることができる。それゆえ、隅部切断工程で除去部２２１が除去されるとき、接着剤が切断刃などに付着し難くでき、除去部が切断刃などに接合してしまい除去し難くなることを抑制できる。
【００８１】
本発明の尿取りパッドの製造方法は、上述した実施形態に制限されることなく、本発明の目的、趣旨を逸脱しない範囲内において、適宜組合せや変更等が可能である。
【符号の説明】
【００８２】
１    尿取りパッド
２０２    連続表面シート
２０３    連続裏面シート
２０４    吸収体
２０８    連続脚弾性部材
２１０    連続吸収性本体
２１６    連続サイドシート
【図１】
0006956776.tif 000002
【図２】
0006956776.tif 000003
【図３】
0006956776.tif 000004
【図４】
0006956776.tif 000005
【図５】
0006956776.tif 000006
【図６】
0006956776.tif 000007
【図７】
0006956776.tif 000008
【図８】
0006956776.tif 000009
【図９】
0006956776.tif 000010
【図１０】
0006956776.tif 000011
【図１１】
0006956776.tif 000012
【図１２】
0006956776.tif 000013
【図１３】
0006956776.tif 000014
【図１４】
0006956776.tif 000015
【図１５】
0006956776.tif 000016